(57)【特許請求の範囲】
【請求項１】
表面に治療用の目印となるマークが印刷されている基台紙と、
該基台紙の裏面に剥離可能に積層されている透明な保護シート層と、
該保護シート層の裏面に積層され、前記基台紙に印刷されたマークと同一のマークを形成するインク層と、
該インク層の裏面に積層されている接着層と、
該接着層の裏面に剥離可能に積層されている保護紙とによって構成され、
前記保護紙を剥がして、前記基台紙に水分を含ませると共に、前記接着層を皮膚に押し当てることにより、前記接着層、インク層及び保護シート層を皮膚側に転写して、各種の治療の際の目印となり、前記保護シート層、インク層及び接着層が皮膚に対して柔軟性に富み、かつ摩擦に強いものである治療用マーカー。
【請求項２】
請求項１記載の治療用マーカーにおいて、
前記保護シート層が、ポリエステル系インクによって形成されており、
前記インク層が、ポリエステル系インクによって形成されており、
前記接着層が、アクリル系接着剤によって形成されていること
を特徴とする治療用マーカー。
【請求項３】
請求項１又は２記載の治療用マーカーにおいて、
前記インク層として、自然太陽光や屋内照明として用いられる蛍光灯や白熱灯に対しては発色せず、ブラックライトのみによって発色するインクを用いていること
を特徴とする治療用マーカー。
【発明の詳細な説明】
【０００１】
【発明の属する技術分野】
本発明は、患者の皮膚にライン等のマークを記入して、例えば放射線治療の際の目印としたり、放射線治療以外の治療における目印とするための治療用マーカーに関するものである。
【０００２】
【従来の技術】
従来、ガン患者の治療において、放射線を患部に照射する治療が一般的に行われている。この放射線治療においては、患部を特定するための目印として、患者の皮膚に、油性インクやフクシンリゾルシン液等を用いてラインや十字等の目印を記入している。
【０００３】
【発明が解決しようとする課題】
しかし、油性インク等を用いてライン等を記入する場合、皮膚のしわ等により正確な直線を引くことができなかったり、滲んでしまってラインが不鮮明になるという問題がある。また、術者や患者の衣服や手を汚してしまうという問題もある。
【０００４】
そこで、本発明は、患者の皮膚に治療用の目印をマーキングする際に、術者や患者の衣服等を汚すことがなく、鮮明で正確な目印をマーキングできるようにすることを目的とするものである。
【０００５】
【課題を解決するための手段】
かかる目的を達成するためになされた本発明の治療用マーカーは、表面に治療用の目印となるマークが印刷されている基台紙と、該基台紙の裏面に剥離可能に積層されている透明な保護シート層と、該保護シート層の裏面に積層され、前記基台紙に印刷されたマークと同一のマークを形成するインク層と、該インク層の裏面に積層されている接着層と、該接着層の裏面に剥離可能に積層されている保護紙とによって構成され、前記保護紙を剥がして、前記基台紙に水分を含ませると共に、前記接着層を皮膚に押し当てることにより、前記接着層、インク層及び保護シート層を皮膚側に転写して、各種の治療の際の目印となり、前記保護シート層、インク層及び接着層が皮膚に対して柔軟性に富み、かつ摩擦に強いものである。
【０００６】
本発明の治療用マーカーによれば、保護紙を剥がした後に、患者の患部の皮膚に対して、接着層を押し付ける様に基台紙を貼り付け、基台紙に水分を十分に含ませることによって接着層を皮膚に接着させた後で、この基台紙を剥がしてやれば、接着層、インク層及び保護シート層を皮膚側に転写して、各種の治療の際の目印とすることができる。なお、保護紙を剥がした基台紙を皮膚に貼り付ける前に、基台紙に水分を含ませておく様にしてもよい。ここで、基台紙を患部に貼り付ける際には、その表面に印刷されているマークによってどこに貼り付けたらよいかが容易に判明する。そして、患者の皮膚にはこのマークと同一のマークからなる目印が転写されるので、鮮明で正確な目印を患者の皮膚にマーキングすることができる。また、この目印は、保護シート層によって表面を保護されているので、衣服等で擦れたりしても消えることがなく、長期間に渡って目印を施した状態を維持することができる。
【０００７】
また、より具体的には、本発明の治療用マーカーとして、前記保護シート層が、ポリエステル系インクによって形成されており、前記インク層が、ポリエステル系インクによって形成されており、前記接着層が、アクリル系接着剤によって形成されているものを用いるとよい。
【０００８】
この治療用マーカーによれば、伸縮性がよいため皮膚との馴染みがよく、肘等に接着した場合にも、皮膚に突っ張り感がなく、皮膚の動きと共に柔軟に変形し、破れたり剥がれたりし難い。
【０００９】
また、本発明の治療用マーカーにおいて、前記インク層として、自然太陽光や屋内照明として用いられる蛍光灯や白熱灯に対しては発色せず、ブラックライトのみによって発色するインクを用いておくようにするとよい。
【００１０】
この様なインクを用いることにより、衣服から露出する部分に本発明の治療用マーカーによるマーキングを施した場合に、通常時にはマークが目立たないので、患者の精神的な苦痛を和らげることができるからである。
【００１１】
【発明の実施の形態】
以下、本発明の実施の形態について、図面を参照しつつ説明する。実施の形態としての放射線治療用ラインマーカー１は、図１に示す様に、表面に治療用の目印となるライン３が印刷されている基台紙５と、この基台紙５の裏面に剥離可能に積層されている透明な保護シート層７と、この保護シート層７の裏面に積層され、基台紙５に印刷されたライン３と同一のラインを形成するインク層９と、このインク層９の裏面に積層される接着層１１と、この接着層１１の裏面に剥離可能に積層されている保護紙１３とによって構成されている。なお、基台紙５の裏面には水溶性の糊がコーティングされている。
【００１２】
ここで、保護シート層７としては、帝国インキ製造株式会社製のポリエステル系性インクである商品名「セリコールＥＧ」を用いている。また、インク層９としては、ポリエステル系インクである株式会社永瀬スクリーン印刷研究所製の商品名「フジロン」を用いている。さらに、接着層１１としては、アクリル酸エステル系接着剤であるリキダイン株式会社製の商品名「リキダインＴＨＢ−１０」を用いている。
【００１３】
この放射線治療用ラインマーカー１を使用するに当たっては、まず、保護紙１３を剥がした後に、患者の患部の皮膚に対して、基台紙３の表面に印刷されているライン３にて位置を合わせながら接着層１１を押し付ける様に基台紙５を貼り付ける。そして、この状態において、水を含ませた脱脂綿や霧吹き等によって基台紙５に水分を十分に含ませる。すると、基台紙５にコーティングされている水溶性の糊が溶けて保護シート層７が基台紙５から剥がれ易くなると共に、接着層１１が患者の皮膚に対してしっかりと接着する。こうして接着層１１を皮膚にしっかりと接着させた後に基台紙５を剥がしてやれば、接着層１１、インク層９及び保護シート層７を皮膚側に転写して、放射線治療の際の目印とすることができる。なお、基台紙５を剥がした後に、かるく水分を拭き取り乾燥させることにより、この目印をしっかりと皮膚に接着させた状態とすることができる。
【００１４】
この放射線治療用ラインマーカー１を用いて、皮膚への目印の接着性および耐久性をテストしたところ、数週間経っても、通常の日常生活等においてはラインが剥がれることがなく、また、皮膚面へのかぶれやアレルギー反応等も見られなかった。
【００１５】
この様に、本実施の形態の放射線治療用ラインマーカー１によれば、患者の皮膚に治療用の目印を鮮明かつ正確にマーキングすることができ、しかも、術者や患者の衣服等を汚すこともない。加えて、伸縮性に優れ、十分な耐久性が得られると共に、皮膚面のかぶれやアレルギー反応等の副作用も見られない優れたものであることが分かった。
【００１６】
以上、本発明の実施の形態について説明したが、本発明は上述した実施の形態に限られることなく、その要旨を逸脱しない範囲内において、さらに種々の態様にて実施することができる。
【００１７】
例えば、皮膚にマーキングするマークについては、直線に限らず、十字やＬ字の様なものでもよい。また、放射線治療用に限らず、放射線治療以外の治療時に患者の皮膚にマーキングを行うために用いることができる。
【００１８】
また、上述の実施の形態では、インク層９のインクの色については特定しなかったが、黒色、白色、黄色、青色、緑色、赤色など各種の色のインクを用いた放射線治療用ラインマーカー１を作製しておき、患者の皮膚の色や治療の目的に応じて、最適な色のマーキングを施す様にしておくとよい。
【００１９】
また、インク層９として、自然太陽光や屋内照明として用いられる蛍光灯や白熱灯に対しては発色せず、ブラックライトのみによって発色するインクを用いておくようにするとよい。
【００２０】
この様なインクを用いることにより、衣服から露出する部分に本発明の治療用マーカーによるマーキングを施した場合に、通常時にはマークが目立たないので、患者の精神的な苦痛を和らげることができるからである。
【００２１】
【発明の効果】
以上説明した様に、本発明によれば、患者の皮膚に治療用の目印をマーキングする際に、術者や患者の衣服等を汚すことがなく、鮮明で正確な目印をマーキングすることができる。
【図面の簡単な説明】
【図１】実施の形態における放射線治療用ラインマーカーの構成を強調して示す模式的な斜視図である。
【符号の説明】
１・・・放射線治療用ラインマーカー、３・・・ライン、５・・・基台紙、７・・・保護シート層、９・・・インク層、１１・・・接着層、１３・・・保護紙。
【図１】
0003609289.tif 000002